(57)【要約】      （修正有）【課題】履き心地や引き締め効果を改善したライナー付きパンツを提供する。【解決手段】ライナー付きパンツ１は、ライナー３の本体部３ａがパワーネットにより形成されているので、これだけでも引き締め効果がある。その上に帯状パワーネット片７が脇からヒップ下にわたる部分を引き締めてヒップアップを図り、更に扇状パワーネット片８がヒップ下部を押し上げるので、ヒップトップが良好に持ち上がる。ライナー３の本体部３ａで全体的に締め付けてから、帯状パワーネット片７と扇状パワーネット片８との２段で締め付ける構造であるため、ライナー３の本体部３ａによる締め付け力を強力にする必要が無く、履き心地を良くできる。【選択図】図１
0003144762.tif 000002
【実用新案登録請求の範囲】
【請求項１】
ウエスト部に縫合吊り下げられたアンダーパンツ型のライナーを内部に有するパンツにおいて、
前記ライナーの本体部はパワーネットにより形成され、
該本体部には、
前記ウエスト部から前記パンツの脇縫合線に沿って下降してから太股部とヒップ部との境界に沿って背後側に曲がって後中心縫合線に至る帯状パワーネット片と、
ヒップ部の下部を覆う位置に配されて一部は前記帯状パワーネット片と重なり合う扇状パワーネット片とが、
後中心縫合線について左右対称となるように各一対で縫いつけられている
ことを特徴とするライナー付きパンツ。
【請求項２】
ウエスト部に縫合吊り下げられたアンダーパンツ型のライナーを内部に有するパンツにおいて、
前記ライナーの本体部はパワーネットにより形成され、
該本体部には、
該本体部の脇縫合線から太股部とヒップ部との境界に沿って後中心縫合線に至る下側パワーネット片と、
前記下側パワーネット片の上方にて前記脇縫合線から前記後中心縫合線に至る上側パワーネット片とが、
後中心縫合線について左右対称となるように各一対で縫いつけられている
ことを特徴とするライナー付きパンツ。
【請求項３】
前記ライナーは、ウエスト部にては全周が前記パンツに縫合され、その他では股刳り部の縫合線の最下部でのみ前記パンツに縫いつけられている
特徴とする請求項１又は２記載のライナー付きパンツ。
【考案の詳細な説明】
【技術分野】
【０００１】
本考案は、体形矯正用のライナーを内部に備えるパンツに関する。
【背景技術】
【０００２】
例えばヒップの垂れ下がりを持ち上げて体形を矯正するために、下着としてガードルを着用し、その上にパンツ等を着用することがある。従来、この矯正用のガードルとパンツとは別体で構成されていたが、これらのガードルとパンツとを別体として着用することは煩瑣であり、また、これらが重なった部分が着用した外観の体形をかえって崩したりするので、ガードルをパンツの内部に内包させて一体化したガードル付きパンツが提案されている（例えば特開平９−５９８０８号公報）。
【特許文献１】特開平９−５９８０８号公報
【考案の開示】
【考案が解決しようとする課題】
【０００３】
特許文献１のガードル付きパンツは、着用が煩瑣にならず、着用したときに外観を損なわないという効果はあるものの、履き心地や引き締め効果の点で改善の余地があった。
【課題を解決するための手段】
【０００４】
請求項１記載のライナー付きパンツは、
ウエスト部に縫合吊り下げられたアンダーパンツ型のライナーを内部に有するパンツにおいて、
前記ライナーの本体部はパワーネットにより形成され、
該本体部には、
前記ウエスト部から前記パンツの脇縫合線に沿って下降してから太股部とヒップ部との境界に沿って背後側に曲がって後中心縫合線に至る帯状パワーネット片と、
ヒップ部の下部を覆う位置に配されて一部は前記帯状パワーネット片と重なり合う扇状パワーネット片とが、
後中心縫合線について左右対称となるように各一対で縫いつけられている
ことを特徴とする。
【０００５】
請求項１記載のライナー付きパンツでは、
ウエスト部に縫合吊り下げられたアンダーパンツ型のライナーの本体部がパワーネットにより形成されているので、これだけでも引き締め効果がある。その上に帯状パワーネット片が脇からヒップ下にわたる部分を引き締めてヒップアップを図り、更に扇状パワーネット片がヒップ下部を押し上げるので、ヒップトップが良好に持ち上がる。
【０００６】
また、ライナーの本体部で全体的に締め付けてから、帯状パワーネット片と扇状パワーネット片との２段で締め付ける構造であるため、ライナーの本体部による締め付け力を強力にする必要が無く、履き心地を良くできる。
【０００７】
請求項２記載のライナー付きパンツは、
ウエスト部に縫合吊り下げられたアンダーパンツ型のライナーを内部に有するパンツにおいて、
前記ライナーの本体部はパワーネットにより形成され、
該本体部には、
該本体部の脇縫合線から太股部とヒップ部との境界に沿って後中心縫合線に至る下側パワーネット片と、
前記下側パワーネット片の上方にて前記脇縫合線から前記後中心縫合線に至る上側パワーネット片とが、
後中心縫合線について左右対称となるように各一対で縫いつけられている
ことを特徴とする。
【０００８】
請求項２記載のライナー付きパンツでは、ウエスト部に縫合吊り下げられたアンダーパンツ型のライナーの本体部がパワーネットにより形成されているので、これだけでも引き締め効果がある。それのみではなく、
本体部の脇縫合線から太股部とヒップ部との境界に沿って後中心縫合線に至る下側パワーネット片が脇からヒップ下にわたる部分を引き締めてヒップアップを図り、更に上側パワーネット片がヒップ下部を押し上げるので、ヒップトップが良好に持ち上がる。
【０００９】
また、ライナーの本体部で全体的に締め付けてから、下側パワーネット片と上側パワーネット片との２段で締め付ける構造であるため、ライナーの本体部による締め付け力を強力にする必要が無く、履き心地を良くできる。
【００１０】
請求項３記載のライナー付きパンツは、前記ライナーは、ウエスト部にては全周が前記パンツに縫合され、その他では股刳り部の縫合線の最下部でのみ前記パンツに縫いつけられている特徴とする請求項１又は２記載のライナー付きパンツである。
【００１１】
請求項３記載のライナー付きパンツでは、ライナーは、ウエスト部を除けば、股刳り部の縫合線の最下部でのみパンツに縫いつけられているため、ライナーが上記のようにヒップアップ作用をすると同時にパンツ本体の生地を股刳で引き込む作用がある。すると、ヒップを被っているライナーとパンツ本体との間に弛みが生じないので、ヒップアップされたヒップの形をそのまま見せることができる。
【００１２】
また、ライナーとパンツ本体とが、ウエスト部及び股刳り部の最下部でのみ連結されているので、ライナーが着用者の運きを妨げるおそれがない。
【考案を実施するための最良の形態】
【００１３】
次に、本考案の実施例等により考案の実施の形態を説明する。なお、本考案は下記の実施例等に限定されるものではなく、本考案の要旨を逸脱しない範囲でさまざまに実施できることは言うまでもない。
［実施例１］
図１（ａ）に示すように、本実施例のライナー付きパンツ１は、パンツ本体２と、アンダーパンツ型のライナー３とで構成される。なお、図１（ａ）はライナー付きパンツ１を裏返してライナー３を外側にした状態を示す。
【００１４】
アンダーパンツ型のライナー３は、ウエスト部４の全周をパンツ本体２のウエスト部に縫合されて、吊り下げ状態にてパンツ本体２に装着されている。なお、図示はされないが、ライナー３は、ウエスト部４を除けば、股刳り部の縫合線の最下部でのみパンツ本体２に縫いつけられているのみである。
【００１５】
ライナー３の本体部３ａはパワーネットにより形成されており、その本体部３ａには、ウエスト部４からパンツ本体２の脇縫合線５に沿って下降してから太股部とヒップ部との境界に沿って背後側に曲がって後中心縫合線６に至る帯状パワーネット片７と、ヒップ部の下部を覆う位置に配されて一部は帯状パワーネット片７と重なり合う扇状パワーネット片８とが、後中心縫合線６について左右対称となるように各一対で縫いつけられている。
【００１６】
このライナー付きパンツ１では、ウエスト部４にてパンツ本体２に縫合されて吊り下げられたアンダーパンツ型のライナー３の本体部３ａがパワーネットにより形成されているので、これだけでも引き締め効果がある。その上に帯状パワーネット片７が脇からヒップ下にわたる部分を引き締めてヒップアップを図り、更に扇状パワーネット片８がヒップ下部を押し上げるので、ヒップトップが良好に持ち上がる。
【００１７】
また、ライナー３の本体部３ａで全体的に締め付けてから、帯状パワーネット片７と扇状パワーネット片８との２段で締め付ける構造であるため、ライナー３の本体部３ａによる締め付け力を強力にする必要が無く、履き心地を良くできる。
【００１８】
さらに、ライナー３は、ウエスト部４を除けば、股刳り部の縫合線の最下部でのみパンツ本体２に縫いつけられているため、ライナー３が上記のようにヒップアップ作用をすると同時にパンツ本体２の生地を股刳で引き込む作用がある。すると、ヒップを被っているライナー３とパンツ本体２との間に弛みが生じないので、ヒップアップされたヒップの形をそのまま見せることができる。
【００１９】
また、ライナー３とパンツ本体２とが、ウエスト部４及び股刳り部の最下部でのみ連結されているので、ライナー３が着用者の運きを妨げるおそれがなく、軽快な動きが可能になる。
［実施例２］
図２（ａ）に示すように、本実施例のライナー付きパンツ１１は、パンツ本体１２と、アンダーパンツ型のライナー１３とで構成される。なお、図２（ａ）はライナー付きパンツ１１を裏返してライナー１３を外側にした状態を示す。
【００２０】
このライナー付きパンツ１１では、アンダーパンツ型のライナー１３は、ウエスト部１４の全周をパンツ本体１２のウエスト部に縫合されて、吊り下げ状態にてパンツ本体１２に装着されている。なお、図示はされないが、ライナー１３は、ウエスト部１４を除けば、股刳り部の縫合線の最下部でのみパンツ本体１２に縫いつけられているのみである。
【００２１】
ライナー１３の本体部１３ａはパワーネットにより形成されており、その本体部１３ａには、本体部１３ａの脇縫合線１３ｂから太股部とヒップ部との境界に沿って後中心縫合線１６に至る下側パワーネット片１７と、下側パワーネット片１７の上方にて脇縫合線１３ｂから後中心縫合線１６に至る上側パワーネット片１８とが、後中心縫合線１６について左右対称となるように各一対で縫いつけられている。
【００２２】
このライナー付きパンツ１１では、ウエスト部４にて縫合されて吊り下げられたアンダーパンツ型のライナー１３の本体部１３ａがパワーネットにより形成されているので、これだけでも引き締め効果がある。それのみではなく、本体部１３ａの脇縫合線１３ｂから太股部とヒップ部との境界に沿って後中心縫合線１６に至る下側パワーネット片１７が脇からヒップ下にわたる部分を引き締めてヒップアップを図り、更に上側パワーネット片１８がヒップ下部を押し上げるので、ヒップトップが良好に持ち上がる。
【００２３】
また、ライナー１３の本体部１３ａで全体的に締め付けてから、下側パワーネット片１７と上側パワーネット片１８との２段で締め付ける構造であるため、ライナー１３の本体部による締め付け力を強力にする必要が無く、履き心地を良くできる。
【００２４】
さらに、ライナー１３は、ウエスト部１４を除けば、股刳り部の縫合線の最下部でのみパンツ本体１２に縫いつけられているため、ライナー１３が上記のようにヒップアップ作用をすると同時にパンツ本体１２の生地を股刳で引き込む作用がある。すると、ヒップを被っているライナー１３とパンツ本体１２との間に弛みが生じないので、ヒップアップされたヒップの形をそのまま見せることができる。
【００２５】
また、ライナー１３とパンツ本体１２とが、ウエスト部１４及び股刳り部の最下部でのみ連結されているので、ライナー１３が着用者の運きを妨げるおそれがなく、軽快な動きが可能になる。
【図面の簡単な説明】
【００２６】
【図１】実施例１のライナー付きパンツの説明図。
【図２】実施例２のライナー付きパンツの説明図。
【符号の説明】
【００２７】
１、１１・・・ライナー付きパンツ、
２、１２・・・パンツ本体、
３、１３・・・ライナー、
３ａ、１３ａ・・・本体部、
１３ｂ・・・脇縫合線、
４、１４・・・ウエスト部、
５・・・脇縫合線、
６、１６・・・後中心縫合線、
７・・・帯状パワーネット片、
８・・・扇状パワーネット片、
１７・・・下側パワーネット片、
１８・・・上側パワーネット片。
【図１】
0003144762.tif 000003
【図２】
0003144762.tif 000004